(57)【特許請求の範囲】
【請求項１】
開封した後に開封部を折り曲げて再封止可能な袋とスプーンとの組合せ物品であって、
前記スプーンは、柄と収納部を有し、該柄に挟み込み係止部が設けられており、
前記挟み込み係止部は、前記柄における前記収容部が突出する側とは反対の面側に設けられており、
開封された後に折り曲げられた前記袋の折り曲げ部分に前記挟み込み係止部を係止して、前記スプーンと前記袋との間に隙間をつくらないようにして再封止する袋とスプーンとの組合せ物品。
【請求項２】
前記挟み込み係止部は、切り込みを施した挟み込み部である請求項１に記載の袋とスプーンとの組合せ物品。
【請求項３】
前記挟み込み係止部が折り返し部である請求項１に記載の袋とスプーンとの組合せ物品。
【発明の詳細な説明】
【０００１】
【発明の属する技術分野】
本発明は、スプーン及び粉体洗剤容器の再封止方法に関する。
【０００２】
【従来の技術】
袋を繰り返し使用する場合、下記の点で袋の開封部を再封止し、かつ封止を保持する必要があった。（１）収容物が吸湿性粉体の場合、水分（湿分）によるケーキングの虞れがある。（２）袋から収容物が漏洩し、周辺を汚す。（３）袋内に異物が混入する。（４）開封後の外観（見栄え）が悪い。
【０００３】
袋を再封止する道具として、ジッパー、再粘着部、輪ゴム、ピンがある。これらはコストがかかり、紛失する虞れもある。また、特にガセット袋は構造上ジッパーを設けられないことがあった。
【０００４】
ところで、収容物を取り出すスプーンを内部に備える容器が使われているが、（１）スプーンが収容物に埋まってしまい、スプーンを探す手間がかかる。（２）スープンを容器と離れた任意の場所に置くことがあり、スプーンを紛失する虞れがある、という問題があった。
【０００５】
特開平７−２３６５５２号公報には、粉製品を取り出すスプーンをパッケージの内部に収容することなく陳列機能部を介してパッケージの外部に付属させ、スプーンに付着した粉によって手が汚れる不具合を解消するようにした店頭陳列物が記載されている。
【０００６】
【発明が解決しようとする課題】
しかし、前記先行技術には下記の問題点がある。（１）柄の折り返しを保持する嵌合手段を備える構成のため、一度嵌合手段を解除して袋を開封した後、再びスプーンによって開封部を封止することができない。（２）前記の構成で再封止するには、開封後の袋に、嵌合手段と合致する孔をあける手間が必要になる。（３）上記（２）の孔によって、袋内部の密封性が損なわれる。
【０００７】
本発明は、容器を繰り返し使用する場合に、開封した後の容器の開封部を容易に再封止できると共に封止状態をを容易に保持できるスプーン及び粉体洗剤容器の再封止方法の提供を目的とする。
【０００８】
【課題を解決するための手段】
本発明は、収容部を有し、収容部に連接する挟み込み係止部を設けたスプーン、又は柄と収納部を有し、該柄に連接する挟み込み係止部を設けたスプーンを提供することにより、上記目的を達成したものである。
【０００９】
また、本発明は、粉体洗剤を収容した袋容器、又は箱容器の開口部近傍に再封止保持手段を有し、前記スプーンを前記再封止保持手段に係止する粉体洗剤容器の再封止方法を提供することにより、上記目的を達成したものである。
【００１０】
本発明のスプーンによれば、収納部に連接する挟み込み係止部を設けたので、開封後の容器を繰り返し使用する場合、前記スプーンによって再封止が容易にできる。
【００１１】
また、柄と収容部とを有し、該柄に連接する挟み込み係止部を設けたので、容器の開封部を該柄によって外側から押さえつけることにより確実に再封止できる。
【００１２】
前記挟み込み係止部を柄に切り込みを施した挟み込み部とすることにより、特に図５に示すような粉体洗剤カートン容器に対して、開封部を柄の中央部の挟み込み部で係止し、柄の両端でカートンの蓋と本体とを外側から押さえつけることで確実に再封止できる。
【００１３】
前記挟み込み係止部を折り返し部とすることにより、開封した袋を折り曲げて、該折り曲げ部分を前記折り返し部で係止し再封止できる。
【００１４】
前記折り返し部を前記柄の収容部と反対側に連接させることにより、再封止する際、前記収容部と容器との間に隙間をつくることなく係止することができる。
【００１５】
【発明の実施の形態】
以下、図面に基づき本発明の好ましい実施形態を説明する。
図１は収容部２と挟み込み係止部３とが備わっている第１実施形態の再封止機能付きの計量スプーン１を示している。袋容器に収納している粉体洗剤を計り取る場合、挟み込み係止部３を摘んで収容部２に粉体洗剤を収容し計量作業を行う。挟み込み係止部３はフック状であり、例えば開封後の袋容器を再封止するとき、袋容器の折り曲げ端部を再封止保持手段として挟み込み係止部３を係止することができる。
【００１６】
図２には、収納部２と柄４とを有し、該柄４の中央部に切り込みを施した挟み込み部５によって挟み込み係止部が構成されている第２実施形態の再封止機能付きの計量スプーン１’を示す。容器が図５に示す粉体洗剤を収納した箱状のカートン容器６の場合、当該粉体洗剤カートン容器６の開封部７を再封止保持手段として柄４の中央部の挟み込み部５で係止し、柄４の両端でカートン６の蓋と本体とを外側から押さえつけることで確実に封止できる。
【００１７】
図３には、挟み込み係止部が折り返し部８である第３実施形態の再封止機能付きの計量スプーン１”を示す。容器が図４に示す粉体洗剤を収納したガセット袋９の場合、開封したガセット袋９を折り曲げて、該折り曲げ部分１０を再封止保持手段として前記折り返し部８で係止することにより再封止できる。折り返し部８は、柄４における凹状の収納部２とは反対側に設けたので、開封したガセット袋９を折り曲げて、該折り曲げ部分１０を前記折り返し部８で係止したとき、計量スプーン１”とガセット袋９との間に隙間をつくることなく係止して再封止できる。
【００１８】
そして、第１〜第３実施形態の計量スプーン１，１’，１”によれば、開封した容器を繰り返し使用する場合、容器の開封部を再封止し、かつ封止状態を容易に保持でき、また紛失することがない。
【００１９】
本発明は、上記各実施形態に限定されることなく種々の変更が可能である。例えば、本発明のスプーンは粉体洗剤以外の収容物を取り出すスプーとして使用することもできる
【００２０】
【発明の効果】
以上説明したように、本発明のスプーン及び粉体洗剤容器の再封止方法によれば、容器を繰り返し使用する場合に、開封した後の容器の開封部を容易に再封止できると共に封止状態をを容易に保持できる。
【図面の簡単な説明】
【図１】図１は、本発明の第１実施形態に係るスプーンの斜視図である。
【図２】図２は、本発明の第２実施形態に係るスプーンの斜視図である。
【図３】図３は、本発明の第３実施形態に係るスプーンの斜視図である。
【図４】図４は、スプーンをガセット袋に係止した状態の斜視図である。
【図５】図５は、スプーンをカートン容器に係止した状態の斜視図である。
【符号の説明】
１，１’，１”  計量スプーン
２  収納部
３  挟み込み係止部
４  柄
５  挟み込み部
６  カートン容器
７  開封部
８  折り返し部
９  ガセット袋
１０  折り曲げ部分
【図１】
0004259727.tif 000002
【図２】
0004259727.tif 000003
【図３】
0004259727.tif 000004
【図４】
0004259727.tif 000005
【図５】
0004259727.tif 000006